(57)【要約】【課題】頭皮内部の筋肉の伸縮度の維持と肌細胞の新陳代謝とを実現しうる生体刺激装置を提供する。【解決手段】生体刺激装置Ａは、生体の皮膚に、電気刺激，瞬間的な温熱刺激のうち少なくとも１つの刺激を与える複数の櫛歯３４ｃ（突起）と、複数の櫛歯３４ｃを支持する支持部３４ｄとを有する導体からなるコーム３４ｂ（主刺激部材）を備えている。櫛ではなくブラシであってもよい。コーム３４ｂの基端側にある基部３２ａと、電力供給部材である本体部１０の取り付け部１３とが係合して、全体として生体刺激装置Ａが構成されている。櫛歯３４ｃで髪の毛をとくように移動させながら、微弱な電流を頭皮に流して、リンパ・ドレナージュを行なうことができる。ブラシ状の刺激部材でもよい。【選択図】図３
2011078635.tif 000002
【特許請求の範囲】
【請求項１】
生体の皮膚に、電気刺激，瞬間的な温熱刺激のうち少なくとも１つの刺激を与える複数の突起、および複数の突起を支持する支持部を有する導体からなる，櫛状又はブラシ状の主刺激部材と、
上記主刺激部材に電力を供給する電力供給部材と、
を備えている生体刺激装置。
【請求項２】
請求項１記載の生体刺激装置において、
上記主刺激部材の支持部の側部は、顔面のリンパ・ドレナージュ用部材として機能する、人体刺激装置。
【請求項３】
請求項１又は２記載の生体刺激装置において、
上記電力供給部材のケーシングは導体からなり、上記主刺激部材の各突起から人体を経て，上記電力供給部材のケーシングに電気が流れるように構成されている、生体刺激装置。
【請求項４】
請求項１〜３のうちいずれか１つに記載の生体刺激装置において、
瞬間的に所定温度に加熱されて、生体の顔面を温熱により刺激する温熱刺激部材をさらに備えている、生体刺激装置。
【請求項５】
請求項４記載の生体装置において、
上記温熱刺激部材により刺激されるべき被刺激部位を教示する教示部材をさらに備えている生体刺激装置。
【請求項６】
請求項５記載の生体刺激装置において、
上記教示部材は、顔面の被刺激部位に相当する位置に開口を設けた顔面カバーである、生体刺激装置。
【請求項７】
請求項１〜３のうちいずれか１つに記載の生体刺激装置において、
少なくとも側部でリンパ・ドレナージュをするための棒状又は筒状の電気刺激部材をさらに備えている、生体刺激装置。
【請求項８】
請求項７記載の生体刺激装置において、
上記主刺激部材，温熱刺激部材，および棒状又は筒状の電気刺激部材は、いずれも上記電力供給部材のケーシングに着脱自在に取りつけられている、生体刺激装置。
【請求項９】
請求項１〜８のうちいずれか１つに記載の生体刺激装置を用いた生体の美容方法であって、
上記主刺激部材の突起の先端を生体の皮膚に接触させた状態で、上記電力供給部材から主刺激部材の突起に電力を供給する、生体の美容方法。
【請求項１０】
請求項９記載の生体の美容方法において、
上記生体は、動物である、生体の美容方法。
【発明の詳細な説明】
【技術分野】
【０００１】
本発明は、温熱刺激により美顔処理などを行う生体刺激装置およびこれを用いた生体の美容方法に関するものである。
【背景技術】
【０００２】
従来より、美容整形外科などのリフトアップ手術では、伸びてたるんだ筋肉を切除し、引き上げることが行われているが、時間の経過とともにたるみが再現し、何度かこの手術を受けると、顔面の筋肉に遊びがなくなり、表情が引きつるおそれがある。
また、フェザー状の異物などを皮下に埋め込んで皮膚を引き上げる方法もあるが、手術痕が残るおそれがある。
【０００３】
そこで、特許文献１の顔面しわ取り装置では、顔面の繊維組織に沿って、熱，電気などのエネルギー刺激を与えて、組織を溶解除去することにより、しわを除去しようとしている。エネルギー刺激としては、多色光，単色光，レーザー光，高周波電気エネルギー，超音波エネルギー，マイクロ波エネルギー，熱エネルギーなどが用いられる。
特許文献２の生体刺激装置では、１対のパルス伝達端子から生体の皮膚および筋肉組織に低周波刺激を与えることにより、筋肉運動と新陳代謝とを行わせようとしている。
【先行技術文献】
【特許文献】
【０００４】
【特許文献１】特表２００３−５２３７９９号公報
【特許文献２】特開平１１−０８９９４５号公報
【発明の概要】
【発明が解決しようとする課題】
【０００５】
しかしながら、上記特許文献１の技術では、医師が組織を除去することを前提としており（同公報の段落［００１３］参照）、ユーザが自宅で簡便に行えるものではない。また、組織を溶解除去することで、生体への悪影響も懸念される。
【０００６】
一方、特許文献２の技術では、繊細な顔面の筋肉が、低周波刺激を受けると、強い刺激を感じ、肌表面で電力が減衰することが多い。そのために、ピリピリとした感覚はあっても、筋肉内部への低周波刺激効果が皮膚の表面部分で減衰し、低周波刺激だけでは、必ずしも十分な美顔効果が得られないおそれがある。
【０００７】
本発明の目的は、上述のような不具合を回避しつつ、皮膚内部の筋肉の伸縮度の維持と皮膚細胞の新陳代謝とを実現しうる生体刺激装置およびこれを用いた生体の美容方法を提供することにある。
【課題を解決するための手段】
【０００８】
本発明の生体刺激装置は、生体の皮膚に、電気刺激，温熱刺激のうち少なくとも１つの刺激を与える複数の突起、および複数の突起を支持する支持部を有する導体からなる櫛状又はブラシ状の主刺激部材と、主刺激部材に瞬間的に電力を供給する電力供給部材とを設けたものである。
主刺激部材には、支持部から一列に延びる多数の櫛歯（突起）を備えた櫛状のものと、支持部の各部位からランダムに延びる多数のブラシ毛（突起）を備えたブラシ状のものとがある。
本発明が適用される生体は、一般的には人体であるが、犬，猫などの動物であってもよい。
電気刺激には、櫛やブラシで髪の毛をとくように移動させながら、主刺激部材から電気を流すリンパ・ドレナージュ（以下、単に「ドレナージュ」とも略記する）と、櫛やブラシを止めた状態で突起の先端から瞬間的に電力を供給するポイント刺激とがある。
【０００９】
本発明の主刺激部材は、人体では主に頭皮に、毛深い動物では頭皮だけでなく胴体や手足の皮膚に、電気刺激または温熱刺激を加えていくものである。
電気刺激のうちリンパ・ドレナージュにより人体の頭皮を刺激する場合には、以下のような作用効果が得られる。
従来、マッサージで行われていたドレナージュ（リンパ・ドレナージュ）では、過度の刺激が肌に負担をかけ、炎症を生じさせて、ついには色素沈着を起こす問題があった。
それに対し、主刺激部材の突起を、頭皮のリンパ・ドレナージュ用部材として機能させることにより、細胞内のナトリウムポンプの働きを活性化させ、細胞内の余分な水分を細胞外に排出することができる。これにより、頭皮のむくみを解消させるとともに、電解質の作用により細胞内の新陳代謝を促進しつつ、老廃物の排出を行うことで、頭皮の肌色を改善することが可能となる。また、プラスイオンが毛穴を引き締めるため、見た目にも肌のきめが整い肌質が改善される。
そして、顔面の神経は頭皮の神経ともつながっているので、頭皮のドレナージュによって、顔面の肌質も改善される。
【００１０】
さらに効果的なことは、静脈リンパの流れを主刺激部材で簡単にドレナージュできることである。つまり、素人の施術によっても容易にドレナージュ効果を得ることができる。
また、微弱電流の作用により細胞レベルで代謝を活発にして老廃物を排出しやすくしたうえで、老廃物や余分な水分までも確実に静脈に帰すことによる効果を最大限まで向上させることができる。また、電気刺激を用いることで、頭皮のマッサージとは異なり、熟練しなくても簡単な行程でだれでも簡単に効果を得ることができる。また、正確なリンパ・ドレナージュだけではなく、微弱電流の作用によって、より少ない刺激で安全にかつ細胞には効果的な代謝を促せるものである。
また、人体だけでなく，動物の胴体や手足へのドレナージュによっても、上述のようなドレナージュ効果が得られる。
【００１１】
電気刺激のうち、主刺激部材による最小限の刺激（電気ポイント刺激）により、筋肉の作動を制御している神経のレベル、つまり筋肉よりも上位の神経レベルでの刺激を受けることで、ユーザの脳からの指令により筋肉の伸張性を回復させるものである。
【００１２】
多くの毛穴がある頭皮や動物の皮膚は、毛穴に過酸化脂質がたまりやすいために、加齢とともにたるみやすい。そこで、微弱電流が毛穴を通って刺激することで、過酸化脂質の蓄積を防ぎ、頭皮などのたるみを改善することができる。一般的に、頭皮などの余分なたるみは、特に筋肉の緩みにより起こるものであり、筋肉の緩みの部位に、余分な老廃物とともに脂肪が蓄積されて、たるみとなって出現する。
本発明では、頭皮などの内部の筋肉が伸縮能力や弾性を取り戻すため、筋肉が持ち上がりハリがでて、引き締まる。このように筋肉が弾力を取り戻す結果、たるみが改善されるのである。
さらに、主刺激部材による被刺激部位への刺激によって、自律神経機能も調整されるため、浮腫や血流の改善にも効果を表し、頭皮の機能も改善される。
【００１３】
また、主刺激部材による瞬間的な温熱刺激により、人体の頭皮や動物の皮膚について、上述の筋肉の伸縮度の維持と細胞の新陳代謝の促進とをより顕著に得ることができる。
そして、顔面の神経は頭皮の神経ともつながっているので、顔面の皮膚内部の筋肉の伸張度と細胞の新陳代謝の促進効果も得られる。
以上のように、本発明の生体刺激装置を用いて、人や動物に電気刺激や温熱刺激を与えることにより、大きな健康維持効果と美容効果とが得られる。
特に、犬、猫などの動物は、ほぼ全身に毛が生えているが、このような先端が尖っている突起を有する主刺激部材により、電気刺激や温熱刺激を直接皮膚に与えることができる。
【００１４】
主刺激部材の支持部の側部を、顔面のリンパ・ドレナージュ用部材として機能させることにより、顔面の肌に対して、上記頭皮のドレナージュ効果と同じ作用が得られる。
特に、顔面のマッサージでは、場合によってはリンパの流れを追えないなどの技術的な問題があったが、支持部の側部を用いることで、一度の動作で施術した範囲はもれなく流れをつかむことができるため、素人の施術によっても容易にドレナージュ効果を得ることができる。
【００１５】
電力供給部材のケーシングが導体からなり、主刺激部材から人体を経て電力供給部材のケーシングに電気が流れるように構成されていることで、簡素な構成で頭皮などに電流を流すことができる。
動物の皮膚に電気刺激を与える場合には、動物の一部にケーシングに導通する電極を取り付ければよい。
【００１６】
瞬間的に所定温度に加熱されて、生体（特に人体）の顔面を温熱により刺激する温熱刺激部材をさらに備えることにより、顔面の皮膚について、上述の筋肉の伸縮度の維持と細胞の新陳代謝の促進とが実現する。
そして、顔面の神経は頭皮の神経ともつながっているので、頭皮内部の筋肉の伸張度と細胞の新陳代謝の促進との効果がより顕著に得られる。
【００１７】
温熱刺激部材により、温熱刺激を与える場合、温熱刺激部材により刺激されるべき被刺激部位を教示する教示部材をさらに備えることにより、教示部材の教示内容にしたがって、ユーザが適切な被刺激部位に温熱刺激部材を当てることができるので、ほとんど専門知識のないユーザでも、上述の効果を享受することができる。すなわち、従来、専門の施設での施術しか行えなかった美顔術などの施術を、ユーザが家庭で手軽に行うことができる。
特に、電力供給手段によって、温熱刺激部材が加熱された時の所定温度と、所定温度になる時間とが一律に制御されるため、だれが実施しても、ほぼ確実に上記作用効果が得られる。
【００１８】
教示部材としては、顔面の被刺激部位の位置を表示した顔面の図を内容とする印刷物または記録媒体や、顔面の被刺激部位に相当する位置に開口を設けた顔面カバーがある。
特に、顔面の被刺激部位に穴を設けた顔面カバーを備えている場合、確実に被刺激部位に主刺激部材を押し当てることができるとともに、ユーザが使用していくうちに被刺激部位の位置を学習することで、何回か使用すると、顔面カバーなしでも正確に被刺激部位に主刺激部材を押し当てることが可能となる。
【００１９】
少なくとも側部でリンパ・ドレナージュをするための棒状又は筒状の電気刺激部材をさらに備えることにより、顔面のドレナージュが可能となり、上述のような頭皮に対するドレナージュ効果が、顔面の肌について得られることで、特に顕著な美容効果が得られる。
【００２０】
主刺激部材，温熱刺激部材，および棒状又は筒状の電気刺激部材は、いずれも電力供給部材のケーシングに着脱自在に取りつけられていることにより、上述のドレナージュによる効果と、温熱刺激による効果とを簡単に得ることができる。
【発明の効果】
【００２１】
本発明によると、副作用などの不具合を回避しつつ、頭皮内部の筋肉の伸縮度の維持と頭皮細胞の新陳代謝とを実現しうる生体刺激装置およびこれを用いた生体の美容方法が得られる。
【図面の簡単な説明】
【００２２】
【図１】本発明の実施形態１に係る生体刺激装置の電力供給部である本体部の上面図である。
【図２】（ａ）〜（ｄ）は、本体部に取りつける各種交換部材を示す平面図である。
【図３】実施の形態１に係る主刺激部材を備えた生体刺激装置の構成を示す平面図である。
【図４】実施の形態１における顔面ドレナージュの経路を示す図である。
【図５】業務用生体刺激装置の制御部の構成を示す平面図である。
【図６】（ａ），（ｂ）は、順に、実施の形態２に係る温熱セットの上面図、および教示部材の内容を示す図である。
【図７】本体部（電力供給部材）から温熱ピックに供給されるパルス状電力と温熱ピックの温度との関係を示す図である。
【図８】教示部材の別例である顔面マスクを示す平面図である。
【発明を実施するための形態】
【００２３】
（実施の形態１）
図１（ａ），（ｂ）は、順に、本発明の実施形態１に係る生体刺激装置の本体部１０（電力供給部材）の上面図および側面図である。
生体刺激装置の本体部１０は、リチウム二次電池を内蔵した充電式電源１１と、制御用のスイッチシート１２とを備えている。また、端部には、各種交換部材を着脱自在に取りつけるための取り付け部１３が設けられている。
電力供給部材１０のケーシング１０ａは、金属板に導電性シリコーンゴム膜をコーティングして構成された導体である。
【００２４】
スイッチシート１２には、電源をオン・オフするためのメインスイッチ２１と、後述する温熱ピックを加熱するための温熱スイッチ２２と、後述するコームやバーに電流を流すための電流スイッチ２３と、後述するイオンバーにイオンを供給するためのイオンスイッチ２４と、イオンバーに供給するイオンのプラス・マイナスを切り替えるための正負切替スイッチ２５と、出力切替スイッチ２６とが設けられている。
【００２５】
図２（ａ）〜（ｄ）は、上記本体部１０に取りつける各種交換部材を示す平面図である。
図２（ａ）は、イオン刺激部品３１を示している。イオン刺激部品３１は、上記本体部１０の取り付け部１３に係合する基部３１ａと、基部３１ａから延びるイオンバー３１ｂとを備えている。そして、本体部１０の正負切替スイッチ２５により、プラス・マイナスを選択して、イオンバー３１ｂから人体等の一部にイオンが供給される。
【００２６】
図２（ｂ）は、温熱用部品３２を示している。温熱用部品３２は、上記本体部１０の取り付け部１３に係合する基部３２ａと、基部３２ａの一部から突出する温熱ピック３２ｂ（温熱刺激部材）とを備えている。そして、本体部１０の温熱スイッチ２２をオンすると、温熱ピック３２ｂが加熱され、温熱ピック３２ｂにより、人体等の一部が加熱される。
【００２７】
図２（ｃ）は、顔面ドレナージュ用部品３３を示している。顔面ドレナージュ用部材３３は、上記本体部１０の取り付け部１３に係合する基部３３ａと、基部３３ａの一部から延びる板状のバー３３ｂ（電気刺激部材）とを備えている。そして、本体部１０の電流スイッチ２３をオンすると、バー３３ｂに電圧が印加され、本体部１０を握りながら、バー３３ｂを人体等の一部に接触させると、バー３３ｂから人体等を経て本体部１０のケーシング１０ａまで電流が流れ、これにより、人体等の一部が電気刺激される。
【００２８】
図２（ｄ）は、コーム部品３４を示している。コーム部品３４は、上記本体部１０の取り付け部１３に係合する基部３４ａと、基部３４ａの一部から延びるコーム３４ｂ（主刺激部材）と、コーム３４ｃから延びる櫛歯３４ｃ（突起）と、櫛歯３４ｃを支持する支持部３４ｄとを備えている。そして、本体部１０の電流スイッチ２３をオンすると、櫛歯３４ｃに電圧が印加され、本体部１０を握りながら、櫛歯３４ｃを人体等の一部に接触させると、櫛歯３４ｃから人体等を経て本体部１０のケーシング１０ａまで電流が流れ、これにより、人体等の一部が電気刺激される。主刺激部材として、コーム３４ｂに代えて、ブラシ毛（突起）を有するブラシを設けてもよい。
なお、温熱ピック３２ｂ，およびバー３３ｂは，金属（たとえばＳＵＳ材）の上に導電性シリコーンをコーティングして構成されている。
【００２９】
図３は、実施の形態１に係る主刺激部材を備えた生体刺激装置Ａの構成を示す平面図である。
生体刺激装置Ａは、皮膚に、電気刺激，瞬間的な温熱刺激のうち少なくとも１つの刺激を与える複数の櫛歯３４ｃと、複数の櫛歯３４ｃを支持する支持部３４ｄとを有する導体からなる主刺激部材であるコーム３４ｂを備えている。本実施の形態では、コーム３４ｂの基端側にある基部３４ａと、電力供給部材である本体部１０の取り付け部１３とが係合して、全体として生体刺激装置Ａが構成されている。
なお、図２（ｂ）に示す温熱ピック３２ｂと同じ機能を有する温熱ピック３４ｅを、支持部３４ｄの先端に設けてもよい。その機能については、後述する。
ただし、主刺激部材と電力供給部材が、必ずしも一体化されている必要はない。
また、図３には櫛状の主刺激部材を表示しているが、ブラシ状の主刺激部材であってもよい（図示省略）。
【００３０】
まず、電気刺激のうち、人体に対する頭皮ドレナージュについて説明する。頭皮ドレナージュは、コーム３４ｂの櫛歯３４ｃにより行われる。
本明細書にいう「ドレナージュ」とは、周知の技術であるリンパ・ドレナージュの略語である。ドレナージュは、排泄を意味するので、リンパ・ドレナージュとは、リンパ液の排泄を意味する。周知のリンパ・ドレナージュは、手を用いたマッサージにより行われるが、本発明では、櫛歯３４ｃ（あるいはブラシ毛）で髪の毛をとくように移動させながら、微弱な電流を頭皮に流して、ドレナージュ（リンパ・ドレナージュ）を行う。
【００３１】
従来、頭皮のマッサージで行われていたドレナージュ（リンパ・ドレナージュ）では、過度の刺激が肌に負担をかけ、炎症を生じさせて、ついには色素沈着を起こす問題があった。
それに対し、コーム３４ｂの櫛歯３４ｃを用いて、微弱電流を頭皮に流しつつ行うことで、以下の作用効果が得られる。
櫛歯３４ｃを軽く頭皮に接触させて、本体部１０（電力供給部材）から電力を供給すると、櫛歯３４ｃから人体を経て本体部１０のケーシング１０ａに微弱電流が流れる。このように、櫛歯３４ｃから頭皮に生体微弱電流を流しながら、ドレナージュをすることで、細胞内のナトリウムポンプの働きを活性化させ、細胞内の余分な水分を細胞外に排出することができる。これにより、頭皮のむくみを解消させるとともに、電解質の作用により細胞内の新陳代謝を促進しつつ、老廃物の排出を行うことで、頭皮の肌色を改善することが可能となる。また、プラスイオンが毛穴を引き締めるため、見た目にも頭皮のきめが整い肌質が改善される。
さらに効果的なことは、静脈リンパの流れを櫛歯３４ｃで簡単にドレナージュできることである。本実施の形態の装置では、櫛歯３４ｃが一度の動作で施術した範囲はもれなく流れをつかむことができるため、素人の施術によっても容易にドレナージュ効果を得ることができる。
また、微弱電流の作用により細胞レベルで代謝を活発にして老廃物を排出しやすくしたうえで、老廃物や余分な水分までも確実に静脈に帰すことによる効果を最大限まで向上させることができる。
上述のようなドレナージュを動物の皮膚に対して行っても、同様の効果が得られる。動物は、ほぼ全身が毛で覆われているが、このような先端が尖った突起を有する櫛状またはブラシ状の主刺激部材を用いることで、直接皮膚に対するドレナージュを行うことができる。
【００３２】
また、コーム３４ｂを人体の頭皮や動物の皮膚の一部に接触させた状態で静止して、櫛歯３４ｃの先端から瞬間的な電流（後述するようなパルス状電力）を流すことで、櫛歯３４ｃによる最小限の刺激（電気ポイント刺激）により、筋肉の作動を制御している神経のレベル、つまり筋肉よりも上位の神経レベルでの刺激を受けることで、ユーザの脳からの指令により筋肉の伸張性を回復させる。つまり、筋肉のハリを回復させるものである。
【００３３】
多くの毛穴がある頭皮や動物の皮膚は、毛穴に過酸化脂質がたまりやすいために、加齢とともにたるみやすい。そこで、微弱電流が毛穴を通って刺激することで、過酸化脂質の蓄積を防ぎ、頭皮などのたるみを改善することができる。一般的に、頭皮などの余分なたるみは、特に筋肉の緩みにより起こるものであり、筋肉の緩みの部位に、余分な老廃物とともに脂肪が蓄積されて、たるみとなって出現する。
本発明では、人体の頭皮や動物の皮膚の内部の筋肉が伸縮能力や弾性を取り戻すため、筋肉が持ち上がりハリがでて、引き締まる。このように筋肉が弾力を取り戻す結果、たるみが改善されるのである。
さらに、主刺激部材による被刺激部位への刺激によって、自律神経機能も調整されるため、浮腫や血流の改善にも効果を表し、頭皮の機能も改善される。
【００３４】
主刺激部材による瞬間的な温熱刺激により、人体の頭皮や動物の皮膚について、上述の筋肉の伸縮度の維持と細胞の新陳代謝の促進とをより顕著に得ることができる。
特に、人体の場合、頭皮だけの刺激でも、顔面の神経は頭皮の神経ともつながっているので、顔面の内部の筋肉の伸張度と細胞の新陳代謝の促進効果も得られる。
【００３５】
次に、コーム３４ｂの支持部３４ｄを用いた人体への顔面ドレナージュについて、説明する。
図４は、人体の顔面に施すドレナージュの経路を示す図である。なお、図４を、紙面に印刷されたものであってもよいし、ＣＤ，ＤＶＤ，ハードメモリ，ＢＤ等の記録媒体に格納されたデータとして、ユーザに提供してもよい。
本実施の形態では、図３に示すコーム３４ｂの支持部３４ｄの側部を軽く顔面に接触させると、支持部３４ｄから人体を経て本体部１０のケーシング１０ａに微弱電流が流れる。
図４に示す第１〜第６ドレナージュラインＤｌ１〜Ｄｌ６は、支持部３４ｄを顔面に軽く当てて移動させる経路および方向を示すものである。ただし、第１ドレナージュラインＤｌ１の３つのラインは、１つずつ支持部３４ｄを当ててもよいし、３本のラインに跨るように、やや強めに支持部３４ｄを当ててもよい。
また、第１〜第６ドレナージュラインＤｌ１〜Ｄｌ６は、左右の対称位置に存在するものである。
【００３６】
従来、マッサージで行われていた顔面ドレナージュ（リンパ・ドレナージュ）では、過度の刺激が肌に負担をかけ、炎症を生じさせて、ついには色素沈着を起こす問題があった。
それに対し、主刺激部材の支持部３４ｄを用いて、微弱電流を皮膚に流しつつ行うことで、以下の作用効果が得られる。
支持部３４ｄから人体の顔面に生体微弱電流を流しながら、ドレナージュをすることで、細胞内のナトリウムポンプの働きを活性化させ、細胞内の余分な水分を細胞外に排出することができる。これにより、顔面などのむくみを解消させるとともに、電解質の作用により細胞内の新陳代謝を促進しつつ、老廃物の排出を行うことで、肌色を改善することが可能となる。また、プラスイオンが毛穴を引き締めるため、見た目にも肌のきめが整い肌質が改善される。
さらに効果的なことは、静脈リンパの流れを支持部３４ｄで簡単にドレナージュできることである。今までは、場合によってはリンパの流れを追えないなどの技術的な問題があったが、本実施の形態の装置では、一度の動作で施術した範囲はもれなく流れをつかむことができるため、素人の施術によっても容易にドレナージュ効果を得ることができる。
また、微弱電流の作用により細胞レベルで代謝を活発にして老廃物を排出しやすくしたうえで、老廃物や余分な水分までも確実に静脈に帰すことによる効果を最大限まで向上させることができる。
【００３７】
また、電気刺激を用いることで、マッサージとは異なり、熟練しなくても簡単な行程でだれでも簡単に効果を得ることができる。また、正確なリンパ・ドレナージュだけではなく、微弱電流の作用によって、より少ない刺激で安全にかつ細胞には効果的な代謝を促せるものである。
特に、図４のデータを印刷物や記録媒体による教示部材としてユーザに提供することで、ユーザが極めて簡単に所望の効果を得ることができる。
また、正確なリンパドレナージュだけではなくマイクロカレントにより、より少ない刺激で安全にかつ細胞には効果的な代謝を促せるものである。
【００３８】
上記実施の形態では、コーム３４ｂ（主刺激部材）を用いて、電気刺激のみを行うようにしたが、それと共に、コーム３４ｂを用いて温熱刺激を行うようにしてもよい。その場合、周知慣用の手段により、電気回路の構成を変更して、コーム３４ｂを加熱するモードと、コーム３４ｂから人体を経て本体部１０のケーシング１０ａに微弱電流が流れるモードとに切り換えうるようにすればよい。
温熱刺激を行って、尖った櫛歯３４ｃの先端が頭皮に分布する温覚，痛覚，圧覚等が存在する被刺激部位を刺激することにより、後述する実施の形態２と同じ効果を得ることができる。
【００３９】
−電力供給部材の別例−
図５は、業務用生体刺激装置５０の制御部５１の構成を示す図である。制御パネル５１は、図示されていない筐体の前面に設けられている。
制御部５１には、全体の電源をオン・オフする電源スイッチ５２と、温熱制御部５３と、電力制御部６０とが配置され、内蔵されているスピーカ音を聞き取りやすくするための開口５８が設けられている。
なお、皮膚に作用させる刺激部材である、イオンバー３１ｂ，温熱ピック３２ｂ，バー３３ｂ，コーム３４ｂの構造は、基本的には、図２（ａ）〜（ｄ）に示す通りであり、施術者が操作しやすい形状にアレンジされれている。その形状としては、周知慣用のものを採用することができる。そして、各刺激部材が制御部５１の各部に電気的に接続されている。
【００４０】
温熱制御部５３は、温熱ピック３２ｂの作動を制御するものであり、温熱ピック３２ｂがオンしている時間を設定するタイマー５４（Timeset）およびその表示ランプと、温熱ピック３２ｂを作動させる出力スイッチ５６（N-shot）およびその表示ランプとを備えている。
【００４１】
電力制御部６０は、イオンバー３１ｂ，バー３３ｂ，コーム３４ｂに供給する電力を制御するものであり、電力モニター６１（PowerMonitor）と、イオンバー３１ｂおよびコーム３４ｂの出力のモードを切り換えるモード切替つまみ６２と、イオンバー３１ｂおよびコーム３４ｂに供給する電力のパルス間隔を調整するためのパルス調節つまみ６３と、イオンバー３１ｂ，バー３３ｂ，およびコーム３４ｂに供給する電力の大小を調整する電力調節つまみ６４とを備えている。
イオンバー３１ｂおよびコーム３４ｂの出力は、モード切替つまみ６２が図中右側にあるときにはプラスになり、左側にあるときにはマイナスになり、中央（Alternate）にあるときにはプラス・マイナスが交互に繰り返される。また、モード切替つまみ６２が図中右側又は左側にあるときには、出力モードを断続モード（Intermittent）と、連続モード（Cntinuation）とに切替えることができる。
断続モードのときには、パルス調節つまみ６３の調整によって、パルス出力の間隔（パルス幅）を長短調節することができる。たとえば、パルス間隔が最長（Long）のときには０．６Ｈｚ程度の周波数に、パルス間隔が最短（Short）のときには１．５Ｈｚ程度の周波数に、調節が可能となっている。また、これらの低周波パルスに、４０００Ｈｚの中周波数のパルスが混合されている。このように調節することで、パルス幅を短くして皮膚の表面を細かく叩くような刺激を与えたり、パルス幅を長くしてストレートな刺激に近づけることが可能となる。
なお、電気刺激を行うときは、制御部５１に接続される電極を被施術者の体の一部（手など）に取り付けることができる。
以上のように、業務用生体刺激装置５０を用いると、上述した各刺激部材の操作をより緻密に行うことができる。
【００４２】
（実施の形態２）
図６（ａ），（ｂ）は、順に、実施の形態２に係る温熱セットの上面図、および教示部材の内容を示す図である。温熱セット３０は、生体の皮膚を、温熱により刺激する温熱刺激部材である温熱ピック３２ｂと、温熱ピック３２ｂに、パルス状電力を供給する電力供給部材である本体部１０とを備えている。また、教示部材４０は、温熱ピック３２ｂにより刺激される被刺激部位を教示するものである。
本実施の形態では、温熱刺激部材である温熱ピック３２ｂが取り付けられた温熱部品３２の基部３２ａと、電力供給部材である本体部１０の取り付け部１３とが係合して、全体として１つの温熱セット３０となっている。
ただし、温熱刺激部材と電力供給部材が、必ずしも一体化されている必要はない。
【００４３】
教示部材４０は、人体の顔面に存在する温覚，痛覚，圧覚が存在する被刺激部位を，顔面と共に表示した被刺激部位表示図Ｐｃを含む印刷物または記録媒体である。すなわち、図Ｐｃは、紙面に印刷されたものであってもよいし、ＣＤ，ＤＶＤ，ハードメモリ，ＢＤ等の記録媒体に格納されたデータであってもよい。記録媒体に格納されている場合は、ユーザが自宅のパソコンのディスプレイ上に被刺激部位表示図Ｐｃを表示すればよい。
【００４４】
被刺激部位表示図Ｐｃに示すように、温熱刺激部位Ｐｔは、第１〜第６温熱刺激ラインＳｔ１〜Ｓｔ６上に並んでいる。これらの各温熱刺激部位Ｐｔに、温熱ピック３２ｂを順次押し当てて、温熱刺激を加えていけばよい。図６中の被刺激部位表示図Ｐｃには、顔面の左側の温熱刺激部位Ｐｔのみが表示されているが、実際の被刺激部位表示図Ｐｃには、顔面の右側にもこれらと対象位置に、温熱刺激部位Ｐｔが表示されていてもよい。ただし、顔面の右側又は左側の一方の温熱刺激部位Ｐｔだけでも表示されていれば、ユーザがもう一方の温熱刺激部位Ｐｔを知ることは簡単である。
【００４５】
図７は、本体部１０（電力供給部材）から温熱ピック３２ｂに供給されるパルス状電力と温熱ピック３２ｂの温度との関係を示す図である。同図に示すように、一定時間の間電力が供給されると、温熱ピック３２ｂは，瞬間的に（たとえば１秒程度）所定温度（たとえば５０℃程度）に加熱される。
１つの温熱刺激部位Ｐｔに１回だけ温熱刺激を加えるだけでもよいし、図４に示すパルス状電力を複数回供給することにより、複数回の温熱刺激を加えてもよい。
電力を供給する一定時間は、温熱ピック３２ｂが瞬間的な短時間（たとえば１秒程度）の間、適切な温度（たとえば５０℃）に加熱されるように、設定される。
【００４６】
本実施の形態では、以下のような効果が得られる。
温熱ピック３２ｂによる最小限の刺激（温熱ポイント刺激）により、筋肉の作動を制御している神経のレベル、つまり筋肉よりも上位の神経レベルでの刺激を受けることで、ユーザの脳からの指令により筋肉の伸張性を回復させる。つまり、筋肉のハリを回復させるものである。
一般的に、余分なたるみ（たとえば眼の下のたるみ）などは、特に筋肉の緩みにより起こるものであり、筋肉の緩みの部位に、余分な老廃物とともに脂肪が蓄積されて、たるみとなって出現する。
本実施の形態では、筋肉が伸縮能力や弾性を取り戻すため、筋肉が持ち上がりハリがでて、引き締まる。このように筋肉が弾力を取り戻し、頬筋や眼輪筋などが持ち上がる結果、たるみが改善されるのである。そして、外科手術のような手術痕が残る不具合や、低周波刺激を与えるもののようなバック電流による副作用も生じることがない。
さらに、温熱ピック３２ｂによる温熱刺激部位Ｐｔへの温熱刺激によって、自律神経機能も調整されるため、浮腫や血流の改善にも効果を表し、肌機能も改善される。
また、上述の効果は、１０代から９０歳代に至るまで、年齢層に関係なく、得られることが確認された。
【００４７】
そして、本実施の形態では、教示部材４０の教示内容にしたがって、ユーザが第１〜第６温熱刺激ラインＳｔ１〜Ｓｔ６に沿った各温熱刺激部位Ｐｔに、順次温熱ピック３２ｂを押し当てていけばよい。このように、ユーザが自宅で自分自身による施術によって、適切な温熱刺激部位Ｐｔに温熱ピック３２ｂを当てることができるので、ほとんど専門知識のないユーザでも、上述の効果を享受することができる。すなわち、従来、専門の施設での施術しか行えなかった美顔術などの施術を、ユーザが家庭で手軽に行うことができる。
特に、本体部１０（電力供給手段）によって、温熱ピック３２ｂが加熱された時の所定温度と、所定温度になる時間とが一律に制御されるため、だれが実施しても、ほぼ確実に上記作用効果が得られる。
【００４８】
−教示部材の別例−
図８は、教示部材４０の別例である顔面マスクＭｓを示す平面図である。顔面マスクＭｓには、図６に示す温熱刺激部位Ｐｔに相当する位置に開口４２を設けている。顔面マスクＭｓのサイズは、顔の長さの長短、幅の広狭に応じて分類したものを各種準備しておいてもよいし、ユーザの顔面を型どりして個別に作成してもよい。
顔面マスクＭｓを利用する場合、ユーザは、顔面マスクＭｓの開口４２内の温熱刺激部位Ｐｔに温熱ピック３２ｂを押し当てて行けばよい。すなわち、この別例では、ユーザが温熱刺激部位Ｐｔの位置を顔面の図から推測して判断する必要がまったくないので、正確な温熱刺激部位Ｐｔに、きわめて簡単に温熱刺激を加えることができる。
また、ユーザが何度も温熱刺激を繰り返すうちに、温熱刺激部位Ｐｔの正確な位置を自分の皮膚の感覚で把握することも可能である。この学習効果により、顔面マスクＭｓを使用しなくても、正確な温熱刺激部位Ｐｔに温熱ピック３２ｂを押し当てることが可能となる。
なお、上記実施の形態では、温熱ピック３２ｂを用いて、温熱刺激のみを行うようにしたが、それと共に、温熱ピック３２ｂを用いて電流刺激を行うようにしてもよい。その場合、周知慣用の手段により、電気回路の構成を変更して、温熱ピック３２ｂを加熱するモードと、温熱ピック３２ｂから人体を経て本体部１０のケーシング１０ａに微弱電流が流れるようにすればよい。
【００４９】
なお、図２（ｃ）に示すバー３３ｂによる顔面ドレナージュを行うこともできる。その場合には、実施の形態１で説明したような、櫛状部材３４ｂの支持部３４ｄによる顔面ドレナージュと同じ効果が得られる。特に、顔面ドレナージュをするためには、バー３３ｂが専用の刺激部材であり、櫛状部材３４ｂの支持部３４ｄよりも、より確実なドレナージュ効果を発揮することができる。
【００５０】
（その他の実施の形態）
上記各実施の形態では、人体の顔面に対する温熱刺激，電流刺激について説明したが、本発明は、人体だけでなく、ペットなどの動物にも適用することができる。また、温熱ピック３２ｂによる温熱刺激は、顔面だけでなく、腕、手、指、足、腰など、生体の各部に適用することができる。
【００５１】
上記実施の形態では説明を省略したが、イオンバー３１ｂを用いて、マイナスイオン，プラスイオンを人体等の生体に作用させることで、リラクゼーション，新陳代謝促進等の効果を得ることができる。
【産業上の利用可能性】
【００５２】
本発明は、人体や動物の美容や健康維持のために利用することができる。
【符号の説明】
【００５３】
Ａ    生体刺激装置
１０  本体部（電力供給部材）
１０ａ  ケーシング
１１  充電式電源
１２  スイッチシート
１３  取り付け部
２１  メインスイッチ
２２  温熱スイッチ
２３  電流スイッチ
２４  イオンスイッチ
２５  正負切替スイッチ
２６  出力切替スイッチ
３０  温熱セット
３１  イオン刺激部品
３１ａ  基部
３１ｂ  イオンバー
３２  温熱用部品
３２ａ  基部
３２ｂ  温熱ピック
３３  ドレナージュ用部品
３３ａ  基部
３３ｂ  バー（棒状又は筒状の電気刺激部材）
３４  コーム用部品
３４ａ  基部
３４ｂ  コーム（主刺激部材）
３４ｃ  櫛歯（突起）
３４ｄ  支持部
３４ｅ  温熱ピック
４０  教示部材
Ｐｃ  被刺激部位表示図
Ｐｔ  被刺激部位
Ｓｔ  温熱刺激ライン
【図１】
2011078635.tif 000003
【図２】
2011078635.tif 000004
【図３】
2011078635.tif 000005
【図４】
2011078635.tif 000006
【図５】
2011078635.tif 000007
【図６】
2011078635.tif 000008
【図７】
2011078635.tif 000009
【図８】
2011078635.tif 000010